(57)【要約】【目的】断面六角形鉛筆の６つの周側面適宜箇所に適宜なポイント数値表示を施し、これを回転させてランダムなポイント表示を実現し、これにより任意なルールによる各種ゲームで使用するに適した鉛筆を自在に回転及び停止する鉛筆回転玩具を提供する。【構成】ピストル玩具のグリップ部形状を模したグリップ部２の上部本体に鉛筆挿入孔５を設け、鉛筆４を挿通するに足る径とされた開孔部１０を有するフライホイール６、フライホイール６と一体的に回転しながら鉛筆４を保持する保持部材１１、フライホイール６に回転力を伝達するギア部材７、ギア部材７を回転駆動するラック部材８の差込み口９、鉛筆側面のポイント数値１２を表示する表示窓口部１３、鉛筆４の回転動作を強制的に止めるストッパー機構１４を内蔵し、ストッパー機構１４を作動させるトリガー部材１５を上記グリップ部２に取り付けている。【選択図】　　　　　　　図１
0003097701.tif 000002
【実用新案登録請求の範囲】
【請求項１】
ピストル玩具のグリップ部形状を模したグリップ部の上部本体に鉛筆挿入孔を設け、挿入した鉛筆を挿通するに足る径とされた開孔部を有するフライホイール、該フライホイールと一体的に回転しながら挿入された鉛筆を保持固定する保持部材、フライホイールに回転力を伝達するギア部材、該ギア部材を回転駆動するラック部材の差込み口、挿通保持された鉛筆側面のポイント数値などを表示する表示窓口部、フライホールと共に回転する鉛筆の回転動作を強制的に止めるストッパー機構を内蔵し、該ストッパー機構を作動させるトリガー部材を上記グリップ部に取り付けていることを特徴とする鉛筆を駆動回転し且つ強制停止する機構を備えた鉛筆回転玩具。
【請求項２】
挿入保持状態で表示窓口部に適切なポイント数値の表示ができるように側面の適宜箇所に複数のポイント数字の表示を施した鉛筆と、差込み口に挿入・引き抜き操作することでギア部材を介してフライホイールに回転力を駆動伝達するラック部材とを更に組合わせセットにしたことを特徴とする請求項１に記載の鉛筆を駆動回転し且つ強制停止する機構を備えた鉛筆回転玩具。
【請求項３】
フライホイールをプラスチック樹脂部材などの被包部材で包み込み一体回転するものとなし、該被包部材の周側面に表示したポイント数値も表示部に併せて表示できるようにしたことを特徴とする請求項１又は請求項２に記載の鉛筆を駆動回転し且つ強制停止する機構を備えた鉛筆回転玩具。
【考案の詳細な説明】
【０００１】
【考案の属する技術分野】
本考案は、断面六角形鉛筆の６つの周側面適宜箇所に適宜なポイント数値表示を施し、これを回転せしめてランダムなポイント表示を実現し、これによって任意なルールによる各種ゲームを行う際して使用するに適した、該鉛筆を自在に回転及び停止する鉛筆回転玩具を提供するものである。
【０００２】
【従来の技術】
断面六角形筆の６つの周側面に適当な文字や数字を記載してサイコロのように転がし、出た記載内容を利用して色々なルールに則ったゲームを行うことは学童などの遊びとして以前から行われているところである。
【０００３】
様々な文字や数字を鉛筆周側面に記載して遊びの道具となし得るバトルゲーム用鉛筆の如きも商品化されている。
【０００４】
【考案が解決しようとする課題】
文字や数字をポイント表示として適宜箇所に記載した所謂バトル鉛筆を利用した多様なゲームを行うことは学童などの創造性を刺激するものとなっているが、ポイント表示させる手法は鉛筆を転がすのみで、この点において好奇心を満足させるようなものではない。
【０００５】
走行玩具などにバトル鉛筆を取付け、走行動作に合わせて回転せしめてポイント表示を行うものが提案されているが、ポイント表示を連続的に行いたいような場合には繰り返し走行動作を行わなければならず煩雑である。
【０００６】
結局のところ、所謂バトル鉛筆によるポイント表示そのものをメカニカルな機構によって好奇心を満たす手法で実現している提案はなされていないものと理解される。
【０００７】
【課題を解決するための手段】
本考案は、上記したような従来技術における課題を解消することについて、実験と検討を繰り返し行い創案されたものであって、回転玩具本体にバトル鉛筆を挿入保持した状態でフライホイールを利用した回転動作を付与し、トリガー形状を利用したストッパー機構による停止操作により自在なポイント表示を実現したものであって、具体的には以下の如くである。
【０００８】
（１）　ピストル玩具のグリップ部形状を模したグリップ部の上部本体に鉛筆挿入孔を設け、挿入した鉛筆を挿通するに足る径とされた開孔部を有するフライホイール、該フライホイールと一体的に回転しながら挿入された鉛筆を保持固定する保持部材、フライホイールに回転力を伝達するギア部材、該ギア部材を回転駆動するラック部材の差込み口、挿通保持された鉛筆側面のポイント数値などを表示する表示窓口部、フライホールと共に回転する鉛筆の回転動作を強制的に止めるストッパー機構を内蔵し、該ストッパー機構を作動させるトリガー部材を上記グリップ部に取り付けていることを特徴とする鉛筆を駆動回転し且つ強制停止する機構を備えた鉛筆回転玩具。
【０００９】
（２）　挿入保持状態で表示窓口部に適切なポイント数値の表示ができるように側面の適宜箇所に複数のポイント数字の表示を施した鉛筆と、差込み口に挿入・引き抜き操作することでギア部材を介してフライホイールに回転力を駆動伝達するラック部材とを更に組合わせセットにしたことを特徴とする請求項１に記載の鉛筆を駆動回転し且つ強制停止する機構を備えた鉛筆回転玩具。
【００１０】
（３）　フライホイールをプラスチック樹脂部材などの被包部材で包み込み一体回転するものとなし、該被包部材の周側面に表示したポイント数値も表示部に併せて表示できるようにしたことを特徴とする請求項１又は請求項２に記載の鉛筆を駆動回転し且つ強制停止する機構を備えた鉛筆回転玩具。
【００１１】
【考案の実施の形態】
上記した本考案の具体的な実施形態の若干例についてを添付図面に示すところに従って説明すると以下のとおりである。
【００１２】
すなわち、図１は本考案による鉛筆回転玩具１についての使用状況の１例を示したものである。つまり、本考案の鉛筆回転玩具１はピストル玩具のグリップ部形状を模したグリップ部２を握持して保持するものである。このようなグリップ部形状を採用することで本考案の鉛筆回転玩具１は持ち易く且つ操作もし易いものとなっている。
【００１３】
グリップ部２の上部には鉛筆回転玩具１の本体部分３が位置されている。この本体部分３には、図示のような構成で鉛筆４の挿入孔５が設けられており、該挿入孔５から所定位置まで鉛筆４を挿入セッティングして回転操作を行うものである。
【００１４】
鉛筆４の回転は、本体部分３に内蔵されたフライホイール６の回転力によって付与される。したがって、フライホイール６の回転力が持続する限り挿入セッティングされた鉛筆４は勢い良く回り続けることができるものである。
【００１５】
フライホイール６に対する回転力伝達は該フライホイール６と一体的に回転するようにされたギア部材７に対してラック部材８を利用して行うものである。つまり、図示のように、本体部分３の所定箇所に設けた差込み口９にラック部材８を差込み挿入するとギア部材７とラック部材８とが相互に噛み合い、この状態でラック部材８を差込み口９の反対側方向に勢い良く引き抜くことでギア部材７が回転し、その回転力がフライホイール６に伝達されるものである。
【００１６】
鉛筆４は、本体部分３の鉛筆挿入孔５から差し込まれ、フライホイール６の中心部に形成されている開孔部１０を挿通して図示のように本体部分３の後部まで突き抜け得るようにされている。また、鉛筆４はフライホイール６の回転と一体的に回転動作するように構成されるので、開孔部１０を挿通された鉛筆４をフライホイール６と一体的に固定保持する保持部材１１によって適宜に保持されるようになっている。すなわち、ラック部材８を差込み口９に挿入セットし、これを勢い良く引き抜くことでフライホイール６と共に鉛筆４も勢い良く回転動作することになるものである。
【００１７】
また、本体部分３には六角形鉛筆４の周側面に記載されたポイント数値１２を回転結果にしたがって表示するための表示窓口１３が形成されている。表示窓口１３は本体部分３内の所定位置まで挿入保持された鉛筆４の周側面の一部が外部から観察できるように適宜箇所に形成されているものである。
【００１８】
フライホイール６と一体的に回転動作する鉛筆４は、フライホイール６の回転力がなくなるまで回り続けることができるが、ストッパー機構１４を操作することによって回転中に強制的に止めることができる。すなわち、ストッパー機構１４によって鉛筆４の回転動作にブレーキをかけて所望の瞬間にストップさせるものである。
【００１９】
このようなストッパー機構１４は本体部分３に内蔵して適宜な操作によって稼動するものとしておけばよいが、ピストル玩具のグリップ形状を模したグリップ部２を採用する本考案においては、図示のように、トリガー（引き金）形状を利用したトリガー部材１５に対する操作によってストッパー機構１４が稼動するものと構成するのが好ましい。トリガー部材１５によるストッパー機構１４の強制的停止操作によって、表示窓口１３に表示させるポイント数値１２をコントロールして娯楽性を高めることができるものである。
【００２０】
本考案の鉛筆回転玩具１で利用する六角形鉛筆４は、上記のように表示窓口部１３において適宜なポイント数値１２の表示を実現して各種ゲームに使用できるようにするために、６つの周側面のそれぞれの適宜箇所に、複数のポイント数値１２表示を施した専用のものを採用するべきである。また、表示窓口部１３において表示されるポイント数値１２は、本体部分３に対する鉛筆４の挿入深さによってその種類を変えることができるように、６つの周側面の各箇所に多様な形式で複数のポイント数値１２の記載を行っておくべきである。
【００２１】
図２は、本考案で用いるフライホイール６について、ギア部材７と一体形成されたプラスチック樹脂製などの包み込みパーツ１６に内蔵せしめて使用する場合について示している。この場合には、フライホイール６の側面表面も滑らかなプラスチック樹脂表面として仕上げられることになるので、該部分においても別のポイント数値１２ａを記載し、本体部分３の表面にもポイント表示部１７を適宜に定めることで、鉛筆４表面上のポイント数値１２と合わせて２種類のポイント数値１２、１２ａを組合わせたものとして得ることができ、より複雑なゲーム性にも対応することが可能となる。
【００２２】
図３は、上記した保持部材１１の１例を示すものである。すなわち、通常の鉛筆４の直径よりも若干大とされた開口部１８に弾性のあるゴムリング１９などをはめ込みこれによって挿入された鉛筆４をしっかりと保持固定するものである。
【００２３】
この保持部材１１もフライホイール６やギア部材７と一体的に取付けられているので、該保持部材１１により固定保持された鉛筆４もフライホイール６の回転と同期して回転動作するようになっているものである。
【００２４】
【考案の効果】
以上説明したような本考案によるならば、鉛筆周側面に記載したポイント数値を専用の鉛筆回転玩具を用いて簡単且つ素早く確定表示させることができ、このようなポイント数値記載を行っている鉛筆を用いた所謂バトルゲームが簡便且つスマートに行えるようになるものであって、ゲーム性を持たせた鉛筆等の文具に対する新たな需要を喚起し得るものであり、工業的にその価値が高い考案である。
【図面の簡単な説明】
【図１】本考案品の実施形態の１例を示した図面である。
【図２】本考案品で用いるフライホイールパーツの別の例及びその場合の本考案品の別の実施形態を示した図面である。
【図３】本考案品で用いる鉛筆保持部材の１例を示した説明図である。
【符号の説明】
１　　鉛筆回転玩具
２　グリップ部
３　本体部分
４　鉛筆
５　挿入孔
６　フライホイール
７　ギア部材
８　ラック部材
９　差込み口
１０　フライホイール開口部
１１　保持部材
１２　ポイント数値
１２ａ　　別のポイント数値
１３　表示窓口
１４　ストッパー機構
１５　トリガー部材
１６　包み込みパーツ
１７　ポイント表示部
１８　保持部材開口部
１９　ゴムリング
【図１】
0003097701.tif 000003
【図２】
0003097701.tif 000004
【図３】
0003097701.tif 000005